(57)【要約】      （修正有）【課題】二つの買い物袋等の袋物を、コンパクトに一つに纏め、携行に便利であり、買い物後においては二つの買い物袋として両手で提げて携行に便利となるようにした袋物を提供する。【解決手段】開口部の大きさが同じで、これらの開口部に提手１２，２２を有する二つの袋物１０，２０であって、二つの袋物の一方の袋物の開口部周辺部にオープン式ファスナー３０の一方３１を固着し、他方の袋物の開口部周辺部にオープン式ファスナーの他方３２を固着し、二つの袋物の開口部を向かい合わせ、各袋物の提手をそれぞれ開口部の内側に折り畳み、オープン式ファスナーの双方の連結で、該ファスナーの閉鎖時に、前記二つの袋物を連結・一体化して一つの袋物連結体１を構成し、袋物連結体１の各袋物１０，２０は、オープン式ファスナー３０を開いて二つの袋物に分離し得るようにした袋物。【選択図】図１
0003147169.tif 000002
【実用新案登録請求の範囲】
【請求項１】
開口部の大きさが同じで、これらの開口部に提手を有する二つの袋物であって、
前記二つの袋物の一方の袋物の開口部周辺部にオープン式ファスナーの一方を固着し、
他方の袋物の開口部周辺部にオープン式ファスナーの他方を固着し、
前記二つの袋物の開口部を向かい合わせ、各袋物の提手をそれぞれ開口部の内側に折り畳み、
前記オープン式ファスナーの双方の連結で、該ファスナーの閉鎖時に、前記二つの袋物を連結・一体化して一つの袋物連結体を構成し、
前記袋物連結体の各袋物は、オープン式ファスナーを開いて二つの袋物に分離し得るようにした、
ことを特徴とする袋物。
【請求項２】
前記二つの袋物は、丈が同じであることを特徴とする請求項１に記載の袋物。
【請求項３】
前記二つの袋物は、丈が異なることを特徴とする請求項１に記載の袋物。
【考案の詳細な説明】
【技術分野】
【０００１】
本考案は、買い物用等の手提げ袋に好適する袋物に関するものである。
【背景技術】
【０００２】
バッグで、オープン式ファスナーを用いたものは知られている（例えば、特許文献１参照。）。
【特許文献１】実用新案登録第３０９４１０９号公報
【０００３】
特許文献１は、バッグを構成する袋体を提手がついた最上部、中間上部、中間下部、底部等にリング状に分割して形成し、各部分相互をオープン式ファスナーで着脱自在に連結する。
上記した各部の表面の模様等を変えたり等し、最上部と底部との組み合わせ、最上部と中間上部、中間下部、底部との組み合わせ等を選択して接続し、バッグの大きさや模様等を変更可能としたものである。
【０００４】
スーパー・マーケット等で買い物をする際、エコの観点から買い物袋を持参することが好ましく、近時では買い物袋を持参して買い物を行う傾向にある。
ところで、買い物の際、買い物の容量によっては複数の買い物袋を持参する必要がある。複数、例えば、二つの空の買い物袋を別々に用意し、夫々を手で提げたりして運ぶのでは、買い物に行く途中において、空であっても嵩張り、体裁も余り良くなく、また、両手が塞がり、不便である。
【０００５】
本考案は、以上の課題を解決すべくなされたものである。
【考案の開示】
【考案が解決しようとする課題】
【０００６】
本考案は、二つの買い物袋等の袋物を、コンパクトに一つに纏め、携行に便利であり、買い物後においては二つの買い物袋として両手で提げて携行に便利となるようにした袋物を提供することを課題とする。
【課題を解決するための手段】
【０００７】
請求項１に係る考案は、開口部の大きさが同じで、これらの開口部に提手を有する二つの袋物であって、二つの袋物の一方の袋物の開口部周辺部にオープン式ファスナーの一方を固着し、他方の袋物の開口部周辺部にオープン式ファスナーの他方を固着し、二つの袋物の開口部を向かい合わせ、各袋物の提手をそれぞれ開口部の内側に折り畳み、オープン式ファスナーの双方の連結で、該ファスナーの閉鎖時に、二つの袋物を連結・一体化して一つの袋物連結体を構成し、袋物連結体の各袋物は、オープン式ファスナーを開いて二つの袋物に分離し得るようにしたことを特徴とする。
【０００８】
請求項２に係る考案は、請求項１において、二つの袋物は、丈が同じであることを特徴とする。
【０００９】
請求項３に係る考案は、請求項１において、二つの袋物は、丈が異なることを特徴とする。
【考案の効果】
【００１０】
請求項１に係る考案では、二つの袋物の同じ大きさの開口部を向かい合わせ、各袋物の提手をそれぞれ開口部の内側に折り畳み、オープン式ファスナーの双方の連結で、ファスナーの閉鎖時に、二つの袋物を連結・一体化して一つの袋物連結体を構成し、この状態で連結された二つの袋物は一つの布状体となり、折り畳む等して外形を可級的にコンパクト化して手で握ったりしたり、連結したまま展開してバンド等により肩に掛けて一枚の布部材等として携行することもでき、携行に便利である。
【００１１】
そして、買い物先では、折り畳む等した袋物は、袋物連結体をオープン式ファスナーを開いて袋物単体に分離して二つの袋物とし、購入した商品を別々となった二つの袋物に収納することで、手で提げて携行、運搬することができる。
また、一つに連結された袋物連結体を、二つに分離して手で提げて携行、運搬するので、商品の種類や内容で入れ分けすることができ、二つの袋物に重量や嵩の均衡が図れ、携行、運搬がし易い。
【００１２】
請求項２に係る考案では、請求項１の効果に加えるに、二つの袋物からなる袋物連結体の各袋物は、丈が同じなので、二つの袋物に分離した際、二つの袋物は同形、同寸法で揃っており、手で提げる際、持ち易い。また、分離した二つの袋物は、同形、同寸法なので、体裁が良く、外観性の点でも好ましい。
【００１３】
請求項３に係る考案では、請求項１の効果に加えるに、二つの袋物からなる袋物連結体の各袋物は、夫々丈が異なるので、二つの袋物として分離した後に丈が異なる二つの袋物となり、商品の大きさや量に対応することができる。
【考案を実施するための最良の形態】
【００１４】
本考案を実施するための最良の形態を添付図に基づいて以下に説明する。なお、図面は符号の向きに見るものとする。
図１は、二つの袋物を連結した状態の表面図、図２は同裏面図、図３は袋物連結体を折り畳む説明的斜視図、図４は、二つの袋物に分離した状態の図である。
図１、図２は、二つの袋物１０，２０を連結・一体化した状態の袋物連結体１を示しており、２つの袋物１０，２０は、開口部１１，２１（図４参照）にコの字形の提手１２，２２を縫着等して備える。
【００１５】
以上の二つの袋物１０，２０の開口部１１，２１の周辺部に、これを囲繞するようにオープン式ファスナー３０の一方のファスナー３１、他方のファスナー３２を縫着等して固着し、ファスナー３１，３２の一方にスライダー３３を係合する。
スライダー３３の係合方向の摺動で、ファスナー３１，３２の努歯（むし。爪片）を係合させ、ファスナー３１，３２の努歯を連結し、オープン式ファスナー３０を閉じる。
スライダー３３の係合解除方向への摺動で、ファスナー３１，３２の努歯の係合、連結状態を解除する。
係合・連結状態を図１、図２で示し、係合開示状態を図４で示した。
【００１６】
以上の二つの袋物１０，２０の開口部１１，２１を向かい合わせとし、提手１２，２２を、ファスナー３１，３２よりも先の開口部の周辺部（見返し部）１３，２３を含んで開口部１１，２１の内側に折り畳んで袋物１０，２０内に収納し、この状態で双方のファスナー３１，３２は突き合わされる。
爾後、スライダー３３をファスナー３１，３２の係合方向に摺動させ、ファスナー３１，３２の努歯を係合、連結させ、二つの袋物１０，２０を連結、一体化する。
この状態を図１，図２で示した。
【００１７】
図１、図２は二つの袋物１０，２０が連結・一体化された状態であり、この状態で袋物連結体１を構成する。
袋物連結体１を構成する連結・一体化された二つの袋物１０，２０は、実施の形態では、縦（Ｈ）・横（Ｗ）、つまり幅・丈が同じであり、且つ同形状である。
連結・一体化された袋物連結体１を構成する袋物１０，２０の対称位置のコーナー部には、実施の形態では環状の金具１４，２４を夫々縫着等して設けている。
【００１８】
また、実施の形態では、図２に示したように、一方の袋物１０の裏面の底部近傍には、ループ状の引っ掛け紐１５を設け、該紐１５は、例えば弾性糸等で形成して弾性を保持させ、他方の袋物２０の底部近傍には係止金具２５を縫着等して固着した。
【００１９】
以上において、図１、図２は袋物連結体１を展開した状態を示し、この状態で連結された二つの袋物１０，２０の表面側を表にし（図１の状態）、袋物１０，２０の丈（Ｈ相当）の略々１／２の部分で折る。この状態を図３で斜視図として示した。
これにより、引っ掛け紐１５と係止金具２５は表面に露出し、紐１５を係止金具２５に掛け廻し、袋物連結体１を二つ折り状態で保形することができる。この状態、或いは更に折り畳んで二つの袋物１０，２０を連結した袋物連結体１を買い物等に際し、携行することができる。
【００２０】
ところで、図６は、袋物連結体１の携行形態の他の実施の形態を示す図で、袋物連結体とバンドの分離状態の図、図７は、肩に掛けて携行状態する状態を示す図である。
展開状態の袋物連結体１の両端部には、対称位置に環状の金具１４，２４が位置し、この金具１４，２４に肩掛けベルト４０の両端部に設けた脱着式フック４１，４１を係合する。ベルト４０は、例えば中間部で脱着式バックル５２を有するタイプとした。
ベルト４０を金具１４，２４に掛けた状態で、ベルト４０を肩に掛け、袋物連結体１を買い物等に際し、携行しても良い（図７参照）。
尚、袋物連結体１を図３の状態から更に二つ折りし、環状の金具１４，２４を近接させて合わせ、合わさった金具１４，２４にベルト４０を金具１４，２４の通し、図７と同様に肩に掛けて携行しても良い。
【００２１】
図１、図２或いは図７に示したような状態で袋物連結体１を携行し、オープン式ファスナー３０のスライダー３３を係合解除方向に摺動させ、該ファスナー３０を開放する。これにより、袋物連結体１は、図４に示すように二つの袋物１０，２０に分離し、独立した袋物となる。
この状態で、二つの袋物１０，２０は個々に物品を収納する二つの袋物として機能し、買い物等をした後、袋物１０，２０に物品を仕分けして収納し、図５の（ａ），（ｂ）に示すように提手１１，２１を左右の手で把持することにより、携行することができる。
このように、一つの袋物をオープン式ファスナーを開くことで、二つの同形状、同寸法の袋物１０，２０を得ることができ、買い物の品物の内容による入れ分けや重量、嵩の均衡を図ることができる。
【００２２】
図８は、袋物連結体の携行形態の更なる他の実施の形態を示す図で、袋物連結体を折り畳んだ状態の図、図９は、図８の９−９線の要部拡大断面図である。
図８は、袋物連結体１を図２のように展開し、連結された二つの袋物１０，２０の表面側を表にし（図１の状態）、袋物１０，２０の丈（Ｈ相当）の略々１／２の部分で折り、図８の状態（図３と同様）とし、折り畳んで向かい合う袋物１０，２０の底部１０ａ，２０ａの近くで、幅方向に離れた２箇所間に渡るように短冊状の止め片５１，６１を掛け渡す。
【００２３】
止め片５１，６１は、一方の止め片５１の一端部５１ａが、鋲５２を介して一方の袋物１０の底部１０ａ近傍の部位に回転可能に試着され、他端部５１ｂにはホック５３の雌部材５３ａを止着し、他方の袋物２０の底部近傍にはホックの雄部材５３ｂを雄部が突出するように固着されており、ホックの雌雄の部分５３ａ，５３ｂは雌雄係合している。
他方の止め片６１は、一端部６１ａが鋲５２を介して他方の袋物２０側に回転可能に止着されており、他端部６１ｂがホック５３を介して一方の袋物１０側に着脱自在に係着している。
【００２４】
図１０は、止め片の一端部を袋物から取り外した状態を示す要部の拡大斜視図である。
止め片５１，６１の対称的な端部５１ｂ，６１ｂを持ち上げ、ホック５３，５３の雌部５３ａ，５３ａを雄部５３ｂ，５３ｂから外し、袋物１０，２０から止め片５１，６１の端部５１ｂ，６１ｂを取り外す。この状態を図１０で示した。
ホック５３，５３を取り外すことで止め片５１，６１の対称位置の端部５１ｂ，６１ｂは袋物１０，２０に対し自由となり、反対側端部の鋲５２，５２を中心として回転させ、止め片５１，６１を袋物１０，２０の底部の縁と平行にすることで、止め片５１，６１は邪魔になることはない。
この状態で、袋物連結体１をオープン式ファスナー３０を開くことで、二つの袋物となり、止め片５１，６１は邪魔になることが無い。
【００２５】
図１１は、図８の変更された実施の形態であり、オープン式ファスナー３０で連結された袋物連結体１において、連結状態の二つの袋体１０，２０の底部１０ａ，２０ａの縁部と平行に短冊状の止め片７１，７３を設け、該止め片７１，７３は、両端部で鋲７２，７２で夫々袋物１０，２０に固着されている。
図１１における止め片７１，７３に手を差し入れ、図１２に示すように止め片７１，７３は提把持することで提手を構成する。
図１２は、袋物連結体１を携行する状態を示す図で、このように止め片７１，７３で構成される提手を手で把持し、底を上にして携行することができる。
【００２６】
図１３は、図１１に示した袋物連結体１を分離して、一つの袋物単体を携行する一例を示す説明図であり、開口部１１に設けた提手１２を肩に掛け、底部に設けた提手７１を手で掴んで携行することができる。
【００２７】
図１４は、袋物連結体１の状態で、二つの袋物１０，２０の開口部を連結するオープン式ファスナー３０の一部を開き、開口部の内側に折り畳まれた提手をオープン式ファスナー３０の開放部分３４から引き出し、袋物連結体１を携行する際の提手とした実施の形態を示す説明図である。
このように、袋物連結体１のオープン式ファスナー３０の一部を開放し、開放部分３４から提手１２または２２、或いは１２，２２の両方を引き出し、手で提げることで二つの袋物１０，２０を連結している袋物連結体１を携行することができる。
【００２８】
以上で図示した実施の形態を説明したが、実施の形態では、袋物１０，２０の丈を同じとしたが、丈を大と小に異ならせても良く、分離状態で丈が異なる二つの袋物が得られ、袋物の丈によって収納する物品を変えることもできる。
また、実施の形態では、二つの袋物を同じものとしたが、一方の袋物を布製とし、他方の袋物の内側に断熱シートを貼着し、保冷剤等を使用して冷蔵品、冷凍品を運搬するようにしても良く、断熱シートを貼着することで、水分の漏れ防止効果もある。
ところで、袋物１０，２０の双方、或いは一方の内側に、内袋をオープン式ファスナーで脱着自在に取り付け、外袋から内袋を取り外して洗浄可能としても良く、また、袋物の内袋を断熱シートを貼着した素材とし、また、上記した袋物１０，２０のオープン式ファスナー開口部を折り曲げて、段熱効果を高めることも可能である。
尚、使用者が、自身に合った大きさを選べるような、大・中・小等の製造も可能である。
【産業上の利用可能性】
【００２９】
本考案に係る袋物は、買い物等に際し、携行に便利であり、二種類の物品の仕分け収納に有利である。
【図面の簡単な説明】
【００３０】
【図１】二つの袋物を連結した状態の一例を示す表面図である。
【図２】同袋物を連結した状態の裏面図である。
【図３】袋物連結体を折り畳む説明的斜視図である。
【図４】二つの袋物に分離した状態の図である。
【図５】二つの袋物に分離して提手を把持して携行する状態の説明図である。
【図６】袋物連結体の携行形態の他の実施の形態を示す図で、袋物連結体とバンドの分離状態の図である。
【図７】袋物連結体を肩に掛けて携行状態する状態を示す図である。
【図８】袋物連結体の携行形態の更なる他の実施の形態を示す図で、袋物連結体を折り畳んだ状態の図である。
【図９】図８の９−９線の要部拡大断面図である。
【図１０】止め片の一端部を袋物から取り外した状態を示す要部の拡大斜視図である。
【図１１】図８の変更された実施の形態を示す図である。
【図１２】提手を把持して袋物連結体を携行する状態を示す説明図である。
【図１３】図１１に示した袋物連結体を分離して、一つの袋物単体を携行する一例を示す説明図である。
【図１４】袋物連結体の状態で、二つの袋物の開口部を連結するオープン式ファスナーの一部を開き、提手をオープン式ファスナーの開放部から引き出し、袋物連結体を携行する際の提手とした実施の形態を示す説明図である。
【符号の説明】
【００３１】
１…袋物連結体、  １０，２０…袋物、  １１，２１…開口部、  １２，２２…提手、  ３０…オープン式ファスナー、  ３１，３２…オープン式ファスナーの各ファスナー。
【図１】
0003147169.tif 000003
【図２】
0003147169.tif 000004
【図３】
0003147169.tif 000005
【図４】
0003147169.tif 000006
【図５】
0003147169.tif 000007
【図６】
0003147169.tif 000008
【図７】
0003147169.tif 000009
【図８】
0003147169.tif 000010
【図９】
0003147169.tif 000011
【図１０】
0003147169.tif 000012
【図１１】
0003147169.tif 000013
【図１２】
0003147169.tif 000014
【図１３】
0003147169.tif 000015
【図１４】
0003147169.tif 000016